(57)【特許請求の範囲】
【請求項１】
開口端面に溝部を設けるとともにこの溝部の内側の土手を外側の土手より低く形成した第１の筐体と、上記開口端面の上記内側の土手と突き合わされる開口端面を有するとともに、上記溝部が外周に露出するように上記第１の筐体と突き合わされる第２の筐体とで形成されるスピーカボックスと、上記溝部に充填し、上記第１と第２の筐体の突き合わせ面より上まで充填してこの突合せ面を覆うシーリング材と、上記第１および／または上記第２の筐体に装着されたスピーカユニットとで構成されるスピーカ装置。
【発明の詳細な説明】
【０００１】
【発明の属する技術分野】
本発明は各種音響機器に使用されるスピーカ装置に関するものである。
【０００２】
【従来の技術】
近年、音響機器の小型化に伴い、スピーカユニットを取り付けるスペースも狭くなり、スピーカユニットの小型化が必要とされているが、パーソナルコンピュータ（特にノート形）等の電子機器においては、高品位ソースの普及により小形ながら高音質で耐入力特性に優れたスピーカ装置が求められてきている。
【０００３】
従来の技術を図３のスピーカ装置の側断面図により説明する。
【０００４】
同図によると、１は第１の筐体であり、開口端面にシーリング材２を溜める溝３を有している。４は開口端面を上記溝３内に挿入してなる第２の筐体であり、この第１、第２の筐体１，４とでスピーカボックス６を形成している。
【０００５】
なお、５は第１の筐体１の開口部１ａに取り付けられたスピーカユニットである。
【０００６】
【発明が解決しようとする課題】
しかしながら、上記従来の構成ではスピーカボックス６を密閉するためのシーリング材２を第１の筐体１の溝３に塗布充填後、第２の筐体４を組み合わせるため、第１の筐体１と第２の筐体４を組み合わせた後ではシーリング材２は比較的粘度が高いので、充填量が少なくまた偏った場合に、非充填部分があっても容易に発見できず、スピーカボックス６の密閉を保つことが困難であった。
【０００７】
また、シーリング材２が乾燥するときに蒸発する有機溶剤がスピーカボックス６の内部に充満しスピーカユニット５を構成する部品に使用している接着剤が再活性化し、スピーカユニット５の不良原因となるという課題を有していた。
【０００８】
本発明は以上のような従来の課題を解決し、シーリング材の塗布・充填が容易で且つ、シーリング材が内蔵されたスピーカユニットに影響を与えることが少ないスピーカ装置を提供するものである。
【０００９】
【課題を解決するための手段】
上記課題を解決するために本発明のスピーカ装置は、開口端面に溝部を設けるとともにこの溝部の内側の土手を外側の土手より低く形成した第１の筐体と、上記開口端面の上記内側の土手と突き合わされる開口端面を有するとともに、上記溝部が外周に露出するように上記第１の筐体と突き合わされる第２の筐体とで形成されるスピーカボックスと、上記溝部に充填し、上記第１と第２の筐体の突き合わせ面より上まで充填してこの突合せ面を覆うシーリング材と、上記第１および／または上記第２の筐体に装着されたスピーカユニットとで構成したので、第１の筐体と第２の筐体を組み合わせた後にシーリング材が極めて容易に充填できるとともに、シーリング材はスピーカボックスの外側でシーリングを行うことになり従来のものに比較してシーリング材が内装したスピーカユニットに与える影響を抑制することができるものである。
【００１０】
【発明の実施の形態】
本発明の請求項１に記載の発明は、開口端面に溝部を設けるとともにこの溝部の内側の土手を外側の土手より低く形成した第１の筐体と、上記開口端面の上記内側の土手と突き合わされる開口端面を有するとともに、上記溝部が外周に露出するように上記第１の筐体と突き合わされる第２の筐体とで形成されるスピーカボックスと、上記溝部に充填し、上記第１と第２の筐体の突き合わせ面より上まで充填してこの突合せ面を覆うシーリング材と、上記第１および／または上記第２の筐体に装着されたスピーカユニットとで構成し、第１の筐体の溝の内側の土手と第２の筐体を突き合わせるので、シーリング材が充填される上記溝はスピーカボックスの外周に位置することになり、シーリング材の充填がスピーカボックス形成後に行えるため内装したスピーカユニットに与える影響を極めて少ないものとするとともに、シーリング材による充填作業も極めて容易に行え密閉も安定して行えるものである。
【００１１】
以下、本発明の一実施の形態について図１、図２により説明する。
【００１２】
なお、従来技術と同一部分には同一番号を付して説明を省略する。
【００１３】
図１は本発明のスピーカ装置の一実施の形態の側断面図であり、図２は同要部である溝近傍の拡大切欠斜視図である。
【００１４】
同図により、従来技術との相違点のみ説明する。
【００１５】
１ａは開口端面全周に溝部３ａを設けるとともに、この溝部３ａの内側の土手１ｂを外側の土手１ｃより低く形成した第１の筐体であり、４ａは上記開口端面の上記内側の土手１ｂと突き合わされる開口端面４ｂを有する第２の筐体であり、上記第１の筐体１ａと第２の筐体４ａの開口端面を突き合わせたとき、第２の開口端面４ｂと第１の筐体１ａの土手１ｂの突き合わせ面は上記土手１ｃより低い位置に形成されることになる。従って、スピーカボックス６ａの外周に露出する上記溝部３ａ内にシーリング材２を上記突き合わせ面より上まで充填するだけで極めて容易にスピーカボックス６ａの第１の筐体１ａと第２の筐体４ａの突き合わせ面のシーリングが行えるものである。
【００１６】
以上のように、溝部３ａは従来のようにその溝部３ａ内に第２の筐体４ａとの突き合わせ面を持たないので、シーリング溜りを十分に確保でき、第１、第２の筐体１ａ，４ａの突き合わせ後シーリング材２を充填したときに発生する可能性のある非充填部分の発生も容易に防止できるとともに、シーリング材２の充填は形成されるスピーカボックス６ａの外周で行われるので、内装のスピーカユニット５にシーリング材２の与える影響を抑制することができるものである。
【００１７】
なお、上記実施の形態では第１の筐体１ａに溝部３ａを設けたが、第２の筐体４ａに設けて上記実施の形態と逆の関係としても良く、また、上記実施の形態では溝部３ａを開口端面全周に設けたが、第１、第２の筐体１ａ，４ａをヒンジで接続した一体成形品で形成した場合は、ヒンジ部分は溝部３ａを形成する必要はなく、溝部３ａは必ずしも全周に亘って形成する必要はなく、シーリングの必要な部分にあれば良いものである。
【００１８】
【発明の効果】
以上のように本発明のスピーカ装置は構成されているので、シーリング材が極めて容易に充填できるとともに、シーリング材はスピーカボックスの外側でシーリングを行うことになり従来のものに比較してシーリング材が内装したスピーカユニットに与える影響を抑制することができる優れたスピーカ装置とすることができるものである。
【図面の簡単な説明】
【図１】本発明のスピーカ装置の一実施の形態の側断面図
【図２】同要部である溝近傍の拡大切欠斜視図
【図３】従来のスピーカ装置の側断面図
【符号の説明】
１ａ  第１の筐体
１ｂ，１ｃ  土手
２  シーリング材
３ａ  溝部
４ａ  第２の筐体
４ｂ  開口端面
５  スピーカユニット
６ａ  スピーカボックス
【図１】
0004003330.tif 000002
【図２】
0004003330.tif 000003
【図３】
0004003330.tif 000004